(57)【要約】【課題】  機構の簡素化を確保した上で使い勝手の向上及び小型化を図る。【解決手段】  ベース体１０に第１のガイド溝１４と第１のガイド溝に対して屈曲された第２のガイド溝１５とから成るガイド部１３が形成され、蓋体１９にガイド部に摺動自在に係合された第１の被ガイドピン２２と第２の被ガイドピン２３が設けられ、第１の被ガイドピンが第１のガイド溝に係合され第２の被ガイドピンが第２のガイド溝に係合されて蓋体が閉塞位置に保持され、閉塞位置に保持されている蓋体の移動用操作部２０ａを蓋体がスライドされる方向と異なる方向へ押圧操作したときに、第２の被ガイドピンを支点として蓋体が回動されて第１の被ガイドピンが第２のガイド溝に係合され弾性部材２４の付勢力によって蓋体が開放位置へ向けてスライドされるようにした。【選択図】        図５
2010217508.tif 000002
【特許請求の範囲】
【請求項１】
電子機器の筐体の少なくとも一部を構成するベース体と、
前記ベース体に開放位置と閉塞位置の間で両者の中間位置を通って移動自在に支持され前記中間位置から前記開放位置まで前記ベース体に対してスライドされると共に移動用操作部を有する蓋体と、
前記中間位置から前記開放位置の間において前記蓋体を前記中間位置から前記開放位置へ向かう方向へ付勢する弾性部材とを備え、
前記ベース体に第１のガイド溝と該第１のガイド溝に連続し前記第１のガイド溝に対して屈曲された第２のガイド溝とから成るガイド部が形成され、
前記蓋体に前記ベース体のガイド部にそれぞれ摺動自在に係合された第１の被ガイドピンと第２の被ガイドピンが設けられ、
前記第１の被ガイドピンが前記第１のガイド溝に係合され前記第２の被ガイドピンが前記第２のガイド溝に係合されて前記蓋体が前記閉塞位置に保持され、
前記閉塞位置に保持されている前記蓋体の移動用操作部を前記蓋体がスライドされる方向と異なる方向へ押圧操作したときに、前記第２の被ガイドピンを支点として前記蓋体が回動されて前記第１の被ガイドピンが前記第２のガイド溝に係合され前記弾性部材の付勢力によって前記蓋体が開放位置へ向けてスライドされるようにした
蓋体の支持構造。
【請求項２】
前記第１の被ガイドピンと前記第２の被ガイドピンが前記第２のガイド溝に係合されているときに前記蓋体が前記中間位置から前記開放位置の間に位置され、
前記第１の被ガイドピンが前記第１のガイド溝に係合され前記第２の被ガイドピンが前記第２のガイド溝に係合されているときに前記蓋体が前記中間位置から前記閉塞位置の間に位置されると共に前記弾性部材によって前記中間位置から前記閉塞位置へ向かう方向へ付勢され、
前記第１の被ガイドピンが前記ガイド部における前記第１のガイド溝と前記第２のガイド溝の連続点に係合されているときに前記弾性部材の前記蓋体に対する付勢力が最大になるようにした
請求項１に記載の蓋体の支持構造。
【請求項３】
前記弾性部材として前記ベース体と前記蓋体の間に支持された引張コイルバネを用いた
請求項２に記載の蓋体の支持構造。
【請求項４】
前記蓋体が前記開放位置に移動されたときに前記蓋体の少なくとも一部が前記筐体の内部に挿入されるようにした
請求項１に記載の蓋体の支持構造。
【請求項５】
前記蓋体に操作用突部を設け、
前記移動用操作部又は前記操作用突部に対する操作によって前記蓋体が前記閉塞位置から前記開放位置へ移動されるようにした
請求項１に記載の蓋体の支持構造。
【請求項６】
前記第１のガイド溝の前記第２のガイド溝に連続する側と反対側の端部に、前記第１の被ガイドピンが係合されて前記蓋体を前記閉塞位置にロックするロック用凹部を形成した
請求項１に記載の蓋体の支持構造。
【請求項７】
ベース体を有する筐体と、
前記ベース体に開放位置と閉塞位置の間で両者の中間位置を通って移動自在に支持され前記中間位置から前記開放位置まで前記ベース体に対してスライドされると共に移動用操作部を有する蓋体と、
前記中間位置から前記開放位置の間において前記蓋体を前記中間位置から前記開放位置へ向かう方向へ付勢する弾性部材とを備え、
前記ベース体に第１のガイド溝と該第１のガイド溝に連続し前記第１のガイド溝に対して屈曲された第２のガイド溝とから成るガイド部が形成され、
前記蓋体に前記ベース体のガイド部にそれぞれ摺動自在に係合された第１の被ガイドピンと第２の被ガイドピンが設けられ、
前記第１の被ガイドピンが前記第１のガイド溝に係合され前記第２の被ガイドピンが前記第２のガイド溝に係合されて前記蓋体が前記閉塞位置に保持され、
前記閉塞位置に保持されている前記蓋体の移動用操作部を前記蓋体がスライドされる方向と異なる方向へ押圧操作したときに、前記第２の被ガイドピンを支点として前記蓋体が回動されて前記第１の被ガイドピンが前記第２のガイド溝に係合され前記弾性部材の付勢力によって前記蓋体が開放位置へ向けてスライドされるようにした
電子機器。
【発明の詳細な説明】
【技術分野】
【０００１】
本発明は蓋体の支持構造及び電子機器についての技術分野に関する。詳しくは、蓋体をベース体に対するスライド方向と異なる方向へ押圧操作して蓋体を開放位置へ移動させて機構の簡素化を確保した上で使い勝手の向上及び小型化を図る技術分野に関する。
【背景技術】
【０００２】
ビデオカメラやスチルカメラ等の撮像装置、テレビジョン等の画像表示装置、各種の情報の記録や再生を行う記録再生装置、携帯電話等の通信端末装置、音楽再生装置、ゲーム機器等の各種の電子機器には、開閉可能な蓋体が設けられているものがある。
【０００３】
このような蓋体は、例えば、接続コードを接続するコネクター部や記録媒体等を装着するスロット等を開閉するようにされている。
【０００４】
従来の電子機器における蓋体として、筐体の一部を構成するベース体に回動自在かつスライド自在に支持されたものがある（例えば、特許文献１参照）。
【０００５】
特許文献１に記載された電子機器にあっては、閉塞位置において蓋体をスライドさせて引き出し、次いで、引き出した蓋体をヒンジ機構を支点として開放位置まで外側へ回動させる構造とされている。
【０００６】
【特許文献１】特開２００１−１０６４９号公報
【発明の開示】
【発明が解決しようとする課題】
【０００７】
ところが、特許文献１に記載された撮像装置にあっては、蓋体を一旦スライドさせて引き出し、次いで、回動させるため、２段階の操作が必要であり蓋体の開放時の操作が面倒であり、使い勝手が悪いと言う問題がある。
【０００８】
また、開放位置まで回動された蓋体が筐体の外側に存在するため、例えば、コネクター部への接続コードの接続時やスロットへの記録媒体の装着時に、接続コードや記録媒体が蓋体に接触するおそれがあり、やはり使い勝手が悪くなってしまう。
【０００９】
さらに、蓋体に回動支点となるヒンジ機構が設けられているため、その分、部品点数が多く機構が複雑であると言う問題もある。
【００１０】
一方、従来の電子機器には、一方向へスライドされて蓋体が開放されるタイプも存在するが、このような蓋体が一方向へスライドされる構造においては、蓋体のスライド量と同じ長さの一方向に延びるガイド溝を形成する必要がある。従って、ガイド溝を形成するための形成スペースを一方向において確保する必要があり、その分、電子機器が一方向に長い形状となり大型化してしまうと言う問題もある。
【００１１】
そこで、本発明蓋体の支持構造及び電子機器は、上記した問題点を克服し、機構の簡素化を確保した上で使い勝手の向上及び小型化を図ることを課題とする。
【課題を解決するための手段】
【００１２】
蓋体の支持構造は、上記した課題を解決するために、電子機器の筐体の少なくとも一部を構成するベース体と、前記ベース体に開放位置と閉塞位置の間で両者の中間位置を通って移動自在に支持され前記中間位置から前記開放位置まで前記ベース体に対してスライドされると共に移動用操作部を有する蓋体と、前記中間位置から前記開放位置の間において前記蓋体を前記中間位置から前記開放位置へ向かう方向へ付勢する弾性部材とを備え、前記ベース体に第１のガイド溝と該第１のガイド溝に連続し前記第１のガイド溝に対して屈曲された第２のガイド溝とから成るガイド部が形成され、前記蓋体に前記ベース体のガイド部にそれぞれ摺動自在に係合された第１の被ガイドピンと第２の被ガイドピンが設けられ、前記第１の被ガイドピンが前記第１のガイド溝に係合され前記第２の被ガイドピンが前記第２のガイド溝に係合されて前記蓋体が前記閉塞位置に保持され、前記閉塞位置に保持されている前記蓋体の移動用操作部を前記蓋体がスライドされる方向と異なる方向へ押圧操作したときに、前記第２の被ガイドピンを支点として前記蓋体が回動されて前記第１の被ガイドピンが前記第２のガイド溝に係合され前記弾性部材の付勢力によって前記蓋体が開放位置へ向けてスライドされるようにしたものである。
【００１３】
従って、蓋体の支持構造にあっては、移動用操作部に対する一回の押圧操作によって蓋体の回動動作及び開放位置へ向けてのスライド動作が連続して行われる。
【００１４】
上記した蓋体の支持構造においては、前記第１の被ガイドピンと前記第２の被ガイドピンが前記第２のガイド溝に係合されているときに前記蓋体が前記中間位置から前記開放位置の間に位置され、前記第１の被ガイドピンが前記第１のガイド溝に係合され前記第２の被ガイドピンが前記第２のガイド溝に係合されているときに前記蓋体が前記中間位置から前記閉塞位置の間に位置されると共に前記弾性部材によって前記中間位置から前記閉塞位置へ向かう方向へ付勢され、前記第１の被ガイドピンが前記ガイド部における前記第１のガイド溝と前記第２のガイド溝の連続点に係合されているときに前記弾性部材の前記蓋体に対する付勢力が最大になるようにすることが望ましい。
【００１５】
第１の被ガイドピンが連続点に係合されているときに弾性部材の蓋体に対する付勢力が最大になるようにすることにより、第１の被ガイドピンのガイド部に対する位置に応じて開放位置又は閉塞位置へ向けての付勢力が蓋体に付与される。
【００１６】
上記した蓋体の支持構造においては、前記弾性部材として前記ベース体と前記蓋体の間に支持された引張コイルバネを用いることが望ましい。
【００１７】
弾性部材として引張コイルバネを用いることにより、簡単な構成によって蓋体に付勢力が付与される。
【００１８】
上記した蓋体の支持構造においては、前記蓋体が前記開放位置に移動されたときに前記蓋体の少なくとも一部が前記筐体の内部に挿入されるようにすることが望ましい。
【００１９】
蓋体が開放位置に移動されたときに少なくとも一部が筐体の内部に挿入されることにより、蓋体が筐体の外方に位置され難くなる。
【００２０】
上記した蓋体の支持構造においては、前記蓋体に操作用突部を設け、前記移動用操作部又は前記操作用突部に対する操作によって前記蓋体が前記閉塞位置から前記開放位置へ移動されるようにすることが望ましい。
【００２１】
移動用操作部又は前記操作用突部に対する操作によって蓋体が閉塞位置から開放位置へ移動されるようにすることにより、操作対象の選択が可能となる。
【００２２】
上記した蓋体の支持構造においては、前記第１のガイド溝の前記第２のガイド溝に連続する側と反対側の端部に、前記第１の被ガイドピンが係合されて前記蓋体を前記閉塞位置にロックするロック用凹部を形成することが望ましい。
【００２３】
第１のガイド溝に蓋体を前記閉塞位置にロックするロック用凹部を形成することにより、蓋体の閉塞位置におけるロックの確実性が向上する。
【００２４】
本発明電子機器は、ベース体を有する筐体と、前記ベース体に開放位置と閉塞位置の間で両者の中間位置を通って移動自在に支持され前記中間位置から前記開放位置まで前記ベース体に対してスライドされると共に移動用操作部を有する蓋体と、前記中間位置から前記開放位置の間において前記蓋体を前記中間位置から前記開放位置へ向かう方向へ付勢する弾性部材とを備え、前記ベース体に第１のガイド溝と該第１のガイド溝に連続し前記第１のガイド溝に対して屈曲された第２のガイド溝とから成るガイド部が形成され、前記蓋体に前記ベース体のガイド部にそれぞれ摺動自在に係合された第１の被ガイドピンと第２の被ガイドピンが設けられ、前記第１の被ガイドピンが前記第１のガイド溝に係合され前記第２の被ガイドピンが前記第２のガイド溝に係合されて前記蓋体が前記閉塞位置に保持され、前記閉塞位置に保持されている前記蓋体の移動用操作部を前記蓋体がスライドされる方向と異なる方向へ押圧操作したときに、前記第２の被ガイドピンを支点として前記蓋体が回動されて前記第１の被ガイドピンが前記第２のガイド溝に係合され前記弾性部材の付勢力によって前記蓋体が開放位置へ向けてスライドされるようにしている。
【００２５】
従って、移動用操作部を押圧操作することにより蓋体が閉塞位置から開放位置まで移動されるため、蓋体の開放時の操作が簡単であり、使い勝手の向上を図ることができる。
【発明の効果】
【００２６】
本発明蓋体の支持構造は、電子機器の筐体の少なくとも一部を構成するベース体と、前記ベース体に開放位置と閉塞位置の間で両者の中間位置を通って移動自在に支持され前記中間位置から前記開放位置まで前記ベース体に対してスライドされると共に移動用操作部を有する蓋体と、前記中間位置から前記開放位置の間において前記蓋体を前記中間位置から前記開放位置へ向かう方向へ付勢する弾性部材とを備え、前記ベース体に第１のガイド溝と該第１のガイド溝に連続し前記第１のガイド溝に対して屈曲された第２のガイド溝とから成るガイド部が形成され、前記蓋体に前記ベース体のガイド部にそれぞれ摺動自在に係合された第１の被ガイドピンと第２の被ガイドピンが設けられ、前記第１の被ガイドピンが前記第１のガイド溝に係合され前記第２の被ガイドピンが前記第２のガイド溝に係合されて前記蓋体が前記閉塞位置に保持され、前記閉塞位置に保持されている前記蓋体の移動用操作部を前記蓋体がスライドされる方向と異なる方向へ押圧操作したときに、前記第２の被ガイドピンを支点として前記蓋体が回動されて前記第１の被ガイドピンが前記第２のガイド溝に係合され前記弾性部材の付勢力によって前記蓋体が開放位置へ向けてスライドされるようにしている。
【００２７】
従って、移動用操作部を押圧操作することにより蓋体が閉塞位置から開放位置まで移動されるため、蓋体の開放時の操作が簡単であり、使い勝手の向上を図ることができる。
【００２８】
請求項２に記載した発明にあっては、前記第１の被ガイドピンと前記第２の被ガイドピンが前記第２のガイド溝に係合されているときに前記蓋体が前記中間位置から前記開放位置の間に位置され、前記第１の被ガイドピンが前記第１のガイド溝に係合され前記第２の被ガイドピンが前記第２のガイド溝に係合されているときに前記蓋体が前記中間位置から前記閉塞位置の間に位置されると共に前記弾性部材によって前記中間位置から前記閉塞位置へ向かう方向へ付勢され、前記第１の被ガイドピンが前記ガイド部における前記第１のガイド溝と前記第２のガイド溝の連続点に係合されているときに前記弾性部材の前記蓋体に対する付勢力が最大になるようにしている。
【００２９】
従って、閉塞位置及び開放位置の何れの位置にも確実に蓋体を移動させることができる。
【００３０】
請求項３に記載した発明にあっては、前記弾性部材として前記ベース体と前記蓋体の間に支持された引張コイルバネを用いたので、機構の簡素化を図ることができる。
【００３１】
請求項４に記載した発明にあっては、前記蓋体が前記開放位置に移動されたときに前記蓋体の少なくとも一部が前記筐体の内部に挿入されるようにしたので、蓋体が筐体の外方に位置され難く、蓋体の脱落や破損を防止することができる。
【００３２】
請求項５に記載した発明にあっては、前記蓋体に操作用突部を設け、前記移動用操作部又は前記操作用突部に対する操作によって前記蓋体が前記閉塞位置から前記開放位置へ移動されるようにしている。
【００３３】
従って、閉塞位置から開放位置へ蓋体を移動させようとするときに、操作しようとする部分を選択することができ、使い勝手の向上を図ることができる。
【００３４】
請求項６に記載した発明にあっては、前記第１のガイド溝の前記第２のガイド溝に連続する側と反対側の端部に、前記第１の被ガイドピンが係合されて前記蓋体を前記閉塞位置にロックするロック用凹部を形成しているので、製造コストの高騰を来たすことなく蓋体の閉塞位置におけるロックを確実に行うことができる。
【００３５】
本発明電子機器は、ベース体を有する筐体と、前記ベース体に開放位置と閉塞位置の間で両者の中間位置を通って移動自在に支持され前記中間位置から前記開放位置まで前記ベース体に対してスライドされると共に移動用操作部を有する蓋体と、前記中間位置から前記開放位置の間において前記蓋体を前記中間位置から前記開放位置へ向かう方向へ付勢する弾性部材とを備え、前記ベース体に第１のガイド溝と該第１のガイド溝に連続し前記第１のガイド溝に対して屈曲された第２のガイド溝とから成るガイド部が形成され、前記蓋体に前記ベース体のガイド部にそれぞれ摺動自在に係合された第１の被ガイドピンと第２の被ガイドピンが設けられ、前記第１の被ガイドピンが前記第１のガイド溝に係合され前記第２の被ガイドピンが前記第２のガイド溝に係合されて前記蓋体が前記閉塞位置に保持され、前記閉塞位置に保持されている前記蓋体の移動用操作部を前記蓋体がスライドされる方向と異なる方向へ押圧操作したときに、前記第２の被ガイドピンを支点として前記蓋体が回動されて前記第１の被ガイドピンが前記第２のガイド溝に係合され前記弾性部材の付勢力によって前記蓋体が開放位置へ向けてスライドされるようにしている。
【００３６】
従って、移動用操作部を押圧操作することにより蓋体が閉塞位置から開放位置まで移動されるため、蓋体の開放時の操作が簡単であり、使い勝手の向上を図ることができる。
【発明を実施するための最良の形態】
【００３７】
以下に、本発明の実施の形態を添付図面に従って説明する。
【００３８】
以下に示した実施の形態は、本発明電子機器を撮像装置であるデジタルスチルカメラに適用したものであり、本発明蓋体の支持構造をこのデジタルスチルカメラに備えられた蓋体の支持構造に適用したものである。
【００３９】
尚、本発明の適用範囲はデジタルスチルカメラ及びデジタルスチルカメラに備えられた蓋体の支持構造に限られることはない。本発明は、例えば、ビデオカメラ等の他の撮像装置、テレビジョン等の画像表示装置、各種の情報の記録や再生を行う記録再生装置、携帯電話等の通信端末装置、音楽再生装置、ゲーム機器等の各種の電子機器及びこれらの各種の電子機器に備えられた蓋体の支持構造に広く適用することができる。
【００４０】
以下の説明にあっては、スチルカメラの撮影時において撮影者（使用者）から見た方向で前後上下左右の方向を示すものとする。従って、被写体側を前方とし、撮影者側を後方とする。
【００４１】
尚、以下に示す前後上下左右の方向は説明の便宜上のものであり、本発明の実施に関しては、これらの方向に限定されることはない。
【００４２】
［全体構成］
電子機器（デジタルスチルカメラ）１は、図１に示すように、装置本体２を備えている。装置本体２の前面にはレンズ鏡筒３が設けられている。レンズ鏡筒３は装置本体２に対して、例えば、着脱可能とされている。
【００４３】
装置本体２は筐体４に所要の各部が配置されて成る。
【００４４】
装置本体２の上端部にはファインダー部５が設けられている。
【００４５】
装置本体２の上面２ａには複数の操作部６、６、・・・、例えば、モード切替ダイヤル、シャッター釦、ズーム摘子等が配置されている。
【００４６】
装置本体２の後面２ｂには複数の操作部７、７、・・・、例えば、メニュー釦等が配置されている。装置本体２の後面２ｂには表示パネル８が設けられている。
【００４７】
装置本体２の左側面２ｃには、例えば、縦長の矩形の配置用開口９が形成されている。配置用開口９の内側には筐体４の一部を構成するベース体１０が配置されている。
【００４８】
［ベース体の構造］
ベース体１０は、図２乃至図４に示すように、上下に離隔して位置された支持面部１１、１１と該支持面部１１、１１を連結する連結部１２とが、例えば、樹脂材料によって一体に形成されて成る。支持面部１１、１１は上下方向を向くように形成され、連結部１２は上下方向に延びるように形成されている。
【００４９】
ベース体１０には支持面部１１、１１と連結部１２の上下両端部との間にそれぞれ移動用スリット１０ａ、１０ａが形成されている。移動用スリット１０ａ、１０ａは前方、後方及び左方に開口されており、後述する蓋体の移動時に該蓋体の一部が通過するスリットである。
【００５０】
支持面部１１にはガイド部１３が形成されている。ガイド部１３は第１のガイド溝１４と第２のガイド溝１５が連続して形成されて成る。
【００５１】
第１のガイド溝１４は上下に貫通され、後方へ凸の緩やかな短い円弧状に形成され、略左右方向に延びるように形成されている。第１のガイド溝１４の右端部には前方へ凸のロック用凹部１４ａが形成されている。
【００５２】
第２のガイド溝１５は上下に貫通され、前方へ行くに従って右方へ緩やかに傾斜する直線状に形成されている。従って、第２のガイド溝１５は第１のガイド溝１４に対して９０°以上屈曲され、第１のガイド溝１４の長さより長く形成されている。
【００５３】
尚、ガイド部１３においては、第１のガイド溝１４が第２のガイド溝１５より長くされていてもよく、また、第１のガイド溝１４と第２のガイド溝１５が同じ長さにされていてもよい。
【００５４】
ガイド部１３においては、第１のガイド溝１４と第２のガイド溝１５の連続点１３ａが最も後方に位置され、第２のガイド溝１５の一端部１５ａ、即ち、前端部が最も前方に位置されている。
【００５５】
支持面部１１の外面の前端部における右端部にはバネ掛け突部１１ａが設けられている。
【００５６】
連結部１２は左右方向を向く側面部１６と該側面部１６の前端部から右方へ突出され前後方向を向く前面部１７とを有している。
【００５７】
側面部１６には上下に離隔して配置孔１６ａ、１６ａが形成されている。配置孔１６ａ、１６ａは、例えば、矩形状に形成され、後述するコネクターやスロットを配置するためのものである。
【００５８】
前面部１７には上下に離隔して保持突部１８、１８が設けられている（図４参照）。保持突部１８、１８は左右方向に長く形成され、先端部（左端部）１８ａ、１８ａが略上下方向へ変位するように弾性変形可能とされている。
【００５９】
ベース体１０は連結部１２が配置用開口９に対応した状態で装置本体２の内部に配置されている。
【００６０】
［蓋体の構造］
ベース体１０には蓋体１９が連結部１２を閉塞する閉塞位置と連結部１２を開放する開放位置との間で移動自在に支持されている（図４参照）。蓋体１９は、図２及び図４に示すように、略左右方向を向く閉塞面部２０と該閉塞面部２０の上下両端部からそれぞれ右方へ突出された被支持面部２１、２１とが、例えば、樹脂材料によって一体に形成されて成る。
【００６１】
閉塞面部２０は前端部が移動用操作部２０ａとして設けられ、該移動用操作部２０ａは平面状に形成されている。閉塞面部２０の後端部には左方へ突出された操作用突部２０ｂが設けられている。閉塞面部２０の右側面における前端部には、上下に離隔して右方へ突出されたストッパー突部２０ｃ、２０ｃが設けられている。
【００６２】
被支持面部２１には前後に離隔して上方又は下方に突出された第１の被ガイドピン２２と第２の被ガイドピン２３が設けられている。
【００６３】
第１の被ガイドピン２２は被支持面部２１の後端部における右端部に設けられている。第１の被ガイドピン２２には上方へ突出されたバネ掛け片２２ａが設けられている。
【００６４】
第２の被ガイドピン２３は被支持面部２１の前後方向における略中央部の右端部に設けられている。第２の被ガイドピン２３は平面で見て移動用操作部２０ａと操作用突部２０ｂの間に位置されており、後述するように、蓋体１９が閉塞位置から開放位置へ向けて移動が開始されるときの蓋体１９の回動動作における支点となる。また、第２の被ガイドピン２３は操作用突部２０ｂの右方に位置されている。
【００６５】
蓋体１９は、上側に位置する被支持面部２１の第１の被ガイドピン２２と第２の被ガイドピン２３が上側に位置する支持面部１１のガイド部１３に下方から挿入されて摺動自在に係合される。また、蓋体１９は、下側に位置する被支持面部２１の第１の被ガイドピン２２と第２の被ガイドピン２３が下側に位置する支持面部１１のガイド部１３に上方から挿入されて摺動自在に係合される。このように第１の被ガイドピン２２、２２と第２の被ガイドピン２３、２３がそれぞれガイド部１３、１３に摺動自在に係合されることにより、蓋体１９がベース体１０に移動自在に支持される。
【００６６】
［弾性部材］
上記のように蓋体１９がベース体１０に移動自在に支持された状態において、蓋体１９の第１の被ガイドピン２２に設けられたバネ掛け片２２ａとベース体１０の支持面部１１に設けられたバネ掛け突部１１ａとの間に弾性部材２４が支持される。弾性部材２４としては、例えば、引張コイルバネが用いられている。
【００６７】
上記のように弾性部材２４が蓋体１９とベース体１０の間に支持された状態において、ガイド部１３、１３に対する第２の被ガイドピン２３、２３の係合位置に応じて蓋体１９に所定の方向への付勢力が付与される。
【００６８】
［ベース体が配置された状態］
上記のように、蓋体１９及び弾性部材２４を支持するベース体１０が装置本体２の内部に配置された状態においては、ベース体１０の側面部１６に形成された配置孔１６ａ、１６ａに対応して図示しないコネクターやスロットが配置される。コネクターには接続コード等が接続され、スロットには記録媒体等が装着される。
【００６９】
［蓋体の動作］
以下に、蓋体１９の動作について説明する（図５乃至図１２参照）。
【００７０】
先ず、蓋体１９が閉塞位置に保持されている状態について説明する（図５及び図６参照）。
【００７１】
蓋体１９が閉塞位置に保持されている状態においては、装置本体２に形成された配置用開口９が蓋体１９によって閉じられており、ベース体１０の連結部１２が閉塞されている。従って、コネクターへの接続コード等の接続やスロットへの記録媒体等の装着を行うことができない状態とされている。
【００７２】
閉塞位置の状態においては、蓋体１９は、第１の被ガイドピン２２、２２がそれぞれベース体１０における第１のガイド溝１４、１４のロック用凹部１４ａ、１４ａに係合され、第２の被ガイドピン２３、２３がそれぞれ第２のガイド溝１５、１５の長手方向における略中央部に係合されている。
【００７３】
従って、第１の被ガイドピン２２、２２が弾性部材２４によってそれぞれ連続点１３ａ、１３ａ側からロック用凹部１４ａ、１４ａへ向かう方向へ付勢されており、第１の被ガイドピン２２、２２がそれぞれロック用凹部１４ａ、１４ａの開口縁に押し付けられて蓋体１９が閉塞位置にロックされている。
【００７４】
このとき蓋体１９のストッパー突部２０ｃ、２０ｃの端縁がそれぞれベース体１０の前面部１７に設けられた保持突部１８、１８の先端部１８ａ、１８ａに係合されている（図７参照）。
【００７５】
以下に、蓋体１９の閉塞位置から開放位置への動作について説明する。
【００７６】
蓋体１９が上記したように閉塞位置に保持されている状態（図５乃至図７参照）において、閉塞面部２０の移動用操作部２０ａが右方（図６に示すＦ１方向）へ押圧操作されると、蓋体１９が第２の被ガイドピン２３、２３を支点として回動され蓋体１９の開放動作が開始される。
【００７７】
蓋体１９の開放動作が開始されるときには、移動用操作部２０ａに対する押圧操作によりストッパー突部２０ｃ、２０ｃによってそれぞれ保持突部１８、１８の先端部１８ａ、１８ａが右方へ押圧され、保持突部１８、１８が弾性変形される（図８参照）。
【００７８】
蓋体１９が第２の被ガイドピン２３、２３を支点として回動されると、第１の被ガイドピン２２、２２のロック用凹部１４ａ、１４ａに対する係合が解除され、第１の被ガイドピン２２、２２が第１のガイド溝１４、１４に案内されて連続点１３ａ、１３ａまで摺動される（図９及び図１０参照）。
【００７９】
このとき蓋体１９の回動動作は弾性部材２４の付勢力に抗して行われる。
【００８０】
また、上記した蓋体１９の開放動作の開始は、蓋体１９が閉塞位置に保持されている状態において、閉塞面部２０の操作用突部２０ｂへの操作によっても行うことが可能である。
【００８１】
即ち、操作用突部２０ｂが後方（図６に示すＦ２方向）から押圧操作されると、上記したように、第２の被ガイドピン２３、２３が操作用突部２０ｂの右方に位置されているため、蓋体１９に第２の被ガイドピン２３、２３を支点とする方向への回転モーメントが発生する。従って、蓋体１９が第２の被ガイドピン２３、２３を支点として回動され蓋体１９の開放動作が開始される。蓋体１９が第２の被ガイドピン２３、２３を支点として回動されると、第１の被ガイドピン２２、２２のロック用凹部１４ａ、１４ａに対する係合が解除され、第１の被ガイドピン２２、２２が第１のガイド溝１４、１４に案内されて連続点１３ａ、１３ａまで摺動される。第１の被ガイドピン２２、２２が連続点１３ａ、１３ａまで摺動された蓋体１９の位置は、中間位置とされる。
【００８２】
蓋体１９が中間位置まで移動されたときには、弾性部材２４の蓋体１９に対する付勢力が最大となる。
【００８３】
第１の被ガイドピン２２、２２が連続点１３ａ、１３ａに達し、引き続き蓋体１９が僅かに回動されると、第１の被ガイドピン２２、２２が第２のガイド溝１５、１５に係合される。従って、第２のガイド溝１５、１５には第１の被ガイドピン２２、２２と第２の被ガイドピン２３、２３の双方が係合された状態となる。
【００８４】
第２のガイド溝１５、１５に第１の被ガイドピン２２、２２と第２の被ガイドピン２３、２３の双方が係合されると、蓋体１９は弾性部材２４の付勢力によって第１の被ガイドピン２２、２２及び第２の被ガイドピン２３、２３が第２のガイド溝１５、１５に案内されて開放位置へ向けて略前方へスライドされていく。
【００８５】
蓋体１９が弾性部材２４の付勢力によって開放位置へ向けてスライドされていくときには、上記したように、第２のガイド溝１５、１５が前方へ行くに従って右方へ緩やかに傾斜する直線状に形成されているため、蓋体１９は装置本体２の内部へ挿入されていく。
【００８６】
このとき蓋体１９の移動用操作部２０ａが装置本体２の内部に挿入されていくが、移動用操作部２０ａが平面状に形成されているため、蓋体１９の装置本体２の内部への挿入を円滑に行うことができる。
【００８７】
また、移動用操作部２０ａが平面状に形成されているため、装置本体２の内部に蓋体１９を挿入するための大きなスペースを確保する必要がなく、装置本体２の内部の配置スペースを大きくすることが可能となる。従って、装置本体２の内部のスペースを装置本体２の内部に配置される各部品の配置スペースとして有効に活用することが可能であり、装置本体２の内部に配置される各部品の配置の自由度の向上を図ることができる。
【００８８】
蓋体１９が開放位置へ向けてスライドされ第２の被ガイドピン２３、２３が第２のガイド溝１５、１５の一端部１５ａ、１５ａに係合されたところで蓋体１９のスライドが停止され、蓋体１９が開放位置に達して保持される（図１１及び図１２参照）。蓋体１９が開放位置に達した状態においては、弾性部材２４によって蓋体１９が中間位置から開放位置へ向かう方向へ付勢されているが、弾性部材２４は長さが最も短くされた状態であり、弾性部材２４の蓋体１９に対する付勢力が最小とされている。
【００８９】
蓋体１９が開放位置に保持された状態においては、蓋体１９の後端部を除く部分が装置本体２の内部へ挿入された状態とされる。従って、蓋体１９の後端部に設けられた操作用突部２０ｂは配置用開口９に位置され、操作用突部２０ｂに対する操作が可能な状態とされている。
【００９０】
蓋体１９が開放位置に保持された状態においては、配置用開口９が開かれており、コネクターへの接続コード等の接続やスロットへの記録媒体等の装着を行うことができる。このとき、蓋体１９は一部を除いて装置本体２の内部に挿入されているため、コネクターへの接続コード等の接続作業及びその解除作業やスロットへの記録媒体等への装着作業及びその解除作業に対して蓋体１９が邪魔になることがない。また、これらの接続作業等において、接続コードや記録媒体等と蓋体１９が接触し難い。
【００９１】
従って、コネクター等への接続ケーブル等の接続作業等における作業性の向上を図ることができると共に蓋体１９のベース体１０からの脱落や蓋体１９の破損を防止することができる。
【００９２】
また、開放位置において蓋体１９は一部を除いて装置本体２の内部に挿入されるため、外力による衝撃等の影響を受け難く、外力による蓋体１９の破損や傷付きを防止することができる。
【００９３】
次に、蓋体１９の開放位置から閉塞位置への動作について説明する。
【００９４】
蓋体１９が開放位置に保持されている状態において、閉塞面部２０の操作用突部２０ｂが後方へ押圧操作されると、蓋体１９は弾性部材２４の付勢力に抗して第１の被ガイドピン２２、２２及び第２の被ガイドピン２３、２３が第２のガイド溝１５、１５に案内されて閉塞位置へ向けて略後方へスライドされていく。
【００９５】
上記したように、蓋体１９が閉塞位置に保持されている状態においては、弾性部材２４の蓋体１９に対する付勢力が最小とされているため、操作用突部２０ｂの後方への押圧操作を小さな力で容易に行うことができる。
【００９６】
第１の被ガイドピン２２、２２及び第２の被ガイドピン２３、２３が第２のガイド溝１５、１５に案内されて蓋体１９が略後方へスライドされていくと、第１の被ガイドピン２２、２２がガイド部１３、１３の連続点１３ａ、１３ａに位置され蓋体１９が中間位置に至る（図９及び図１０参照）。このとき弾性部材２４の蓋体１９に対する付勢力が最大となる。
【００９７】
蓋体１９は、中間位置に達したときにはそれ以上の略後方へのスライドが不能であり、次いで、蓋体１９は第２の被ガイドピン２３、２３を支点として第１の被ガイドピン２２、２２が第１のガイド溝１４、１４のロック用凹部１４ａ、１４ａに向かう方向へ回動される。従って、弾性部材２４の付勢力によって第１の被ガイドピン２２、２２が第１のガイド溝１４、１４に案内されてロック用凹部１４ａ、１４ａへ向けて摺動される。
【００９８】
蓋体１９は第１の被ガイドピン２２、２２がロック用凹部１４ａ、１４ａに達したところで回動が停止され、第１の被ガイドピン２２、２２がロック用凹部１４ａ、１４ａに係合されて閉塞位置に再びロックされる（図５及び図６参照）。
【００９９】
蓋体１９が閉塞位置にロックされた状態においては、蓋体１９のストッパー突部２０ｃ、２０ｃの端縁がそれぞれベース体１０の前面部１７に設けられた保持突部１８、１８の先端部１８ａ、１８ａに再び係合される（図７参照）。
【０１００】
以上に記載した通り、電子機器１にあっては、ベース体１０に開放位置と閉塞位置の間で移動自在に支持され移動用操作部２０ａを有する蓋体１９と、該蓋体１９を開放位置へ向けて付勢する弾性部材２４とを設けている。また、電子機器１にあっては、ベース体１０に第１のガイド溝１４、１４と該第１のガイド溝１４、１４に対して屈曲された第２のガイド溝１５、１５とから成るガイド部１３、１３を形成し、蓋体１９にガイド部１３、１３にそれぞれ摺動自在に係合された第１の被ガイドピン２２、２２と第２の被ガイドピン２３、２３を設けている。
【０１０１】
電子機器１にあっては、上記のような構成において、第１の被ガイドピン２２、２２と第２の被ガイドピン２３、２３がそれぞれ第１のガイド溝１４、１４と第２のガイド溝１５、１５に係合されて蓋体１９が閉塞位置に保持される。また、閉塞位置に保持されている蓋体１９の移動用操作部２０ａを蓋体１９の開放位置へ向かうスライド方向と異なる方向へ押圧操作したときに、第２の被ガイドピン２３、２３を支点として蓋体１９が回動されて第１の被ガイドピン２２、２２が第２のガイド溝１５、１５に係合され弾性部材２４の付勢力によって蓋体１９が開放位置へ向けてスライドされるようにしている。
【０１０２】
従って、電子機器１にあっては、移動用操作部２０ａを蓋体１９の開放位置へ向かうスライド方向と異なる方向へ一回押圧操作することにより蓋体１９が閉塞位置から開放位置まで移動されるため、蓋体１９の開放時の操作が簡単であり、使い勝手の向上を図ることができる。
【０１０３】
また、電子機器１にあっては、蓋体１９を回動させるためのヒンジ機構等の特別な機構を必要としないため、部品点数の削減及び機構の簡素化を図ることができる。
【０１０４】
さらに、開放位置において蓋体１９が外側へ回動された状態とされないため、コネクターに接続しようとする接続コードやスロットに装着しようとする記録媒体が蓋体１９に接触することがなく、一層の使い勝手の向上を図ることができる。
【０１０５】
加えて、蓋体１９の開閉動作が、連続して行われる回動動作とスライド動作から成るため、ベース体１０に形成するガイド溝の一方向（蓋体１９のスライド方向）における長さを回動動作が行われる分、短くすることができる。従って、上記した一方向において、ガイド溝を形成するための形成スペースを小さくすることができ、その分、電子機器１の小型化を図ることができる。
【０１０６】
電子機器１にあっては、第１の被ガイドピン２２が第１のガイド溝１４に係合している状態において蓋体１９が閉塞位置へ向かう方向へ付勢され、第１の被ガイドピン２２が第２のガイド溝１５に係合している状態において蓋体１９が開放位置へ向かう方向へ付勢されている。また、第１の被ガイドピン２２が第１のガイド溝１４と第２のガイド溝１５の境界である連続点１３ａに係合している状態において付勢力が最大になるようにしている。
【０１０７】
従って、第１の被ガイドピン２２の連続点１３ａを基準としたガイド部１３に対する位置に応じて弾性部材２４の蓋体１９に対する付勢力の方向が反転されるため、閉塞位置及び開放位置の何れの位置にも確実に蓋体１９を移動させることができる。
【０１０８】
また、電子機器１にあっては、弾性部材２４として引張コイルバネを用いているため、構成が簡単であり、機構の簡素化を図ることができる。
【０１０９】
さらに、弾性部材２４として直線的に伸縮する引張コイルバネを用いることにより、弾性部材として、例えば、付勢方向が反転されるトグルバネを用いたときのバネの大きな移動スペースを確保する必要がなく、電子機器１の小型化を図ることができる。
【０１１０】
尚、上記には、蓋体１９を付勢する手段として一つの弾性部材２４を用いた例を示したが、例えば、ベース体１０の一対の支持面部１１、１１と蓋体１９の一対の被支持面部２１、２１との間にそれぞれ弾性部材２４、２４が支持されるようにすることも可能である。このように二つの弾性部材２４、２４を蓋体１９の閉塞面部２０を挟んだ反対側にそれぞれ配置することにより、蓋体１９の閉塞位置と開放位置との間の動作の円滑化を図ることができる。
【０１１１】
また、上記には、弾性部材２４として引張コイルバネを用いた例を示したが、蓋体１９を付勢する手段としては引張コイルバネに限られることはなく、例えば、トグルバネ、板バネ、ゴム等の各種の弾性部材を用いることが可能である。
【０１１２】
電子機器１にあっては、上記したように、蓋体１９に移動用操作部２０ａと操作用突部２０ｂを設け、移動用操作部２０ａ又は操作用突部２０ｂに対する押圧操作によって蓋体１９が閉塞位置から開放位置へ移動されるようにしている。
【０１１３】
従って、閉塞位置から開放位置へ蓋体１９を移動させようとするときに、操作しようとする部分を選択することができ、使い勝手の向上を図ることができる。
【０１１４】
尚、電子機器１にあっては、閉塞位置において操作用突部２０ｂの一部又は全部が装置本体２の内部に挿入されるようにしてもよい。この場合に、閉塞位置において、操作用突部２０ｂに対して押圧操作ができない状態であっても、移動用操作部２０ａに対する押圧操作によって蓋体１９の開放動作を開始することができる。
【０１１５】
また、電子機器１にあっては、前方へ凸のロック用凹部１４ａを第１のガイド溝１４に形成し弾性部材２４の付勢力によってロック用凹部１４ａの開口縁に第１の被ガイドピン２２を押し付けることにより蓋体１９の閉塞位置におけるロックを行うようにしている。
【０１１６】
従って、ロック用凹部１４ａの形状が単純であるため、製造コストの高騰を来たすことなく蓋体１９の閉塞位置におけるロックを確実に行うことができる。
【０１１７】
さらに、電子機器１にあっては、第１のガイド溝１４を緩やかな短い円弧状に形成しているため、第２の被ガイドピン２３を支点とした蓋体１９の回動動作を確実かつ円滑に行うことができる。
【０１１８】
尚、電子機器１にあっては、蓋体１９の開放動作及び閉塞動作の何れの動作においても動作の途中で弾性部材２４の付勢方向が反転されるため、操作者にバネの反転時における所謂クリック感が付与される。
【０１１９】
従って、クリック感の付与により操作者は蓋体１９が開放位置又は閉塞位置へ移動したか否かを判別することが可能であり、確実な操作性及び円滑な操作性を確保することができる。
【０１２０】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１２１】
【図１】図２乃至図１２と共に本発明の実施の形態を示すものであり、本図は、電子機器を示す斜視図である。
【図２】ベース体と蓋体と弾性部材を示す拡大分解斜視図である。
【図３】ベース体の拡大平面図である。
【図４】ベース体と蓋体と弾性部材を示す拡大斜視図である。
【図５】図６乃至図１２と共に蓋体の動作を示すものであり、本図は、蓋体が閉塞位置にある状態を示す拡大斜視図である。
【図６】蓋体が閉塞位置にある状態を示す拡大平面図である。
【図７】蓋体が閉塞位置にある状態において、蓋体のストッパー突部がベース体の保持突部に係合されて保持されている状態を示す拡大正面図である。
【図８】蓋体の移動用操作部が押圧操作され、蓋体のストッパー突部によってベース体の保持突部が弾性変形されている状態を示す拡大正面図である。
【図９】第１の被ガイドピンがガイド部の連続点に係合され蓋体が中間位置にある状態を示す拡大斜視図である。
【図１０】第１の被ガイドピンがガイド部の連続点に係合され蓋体が中間位置にある状態を示す拡大平面図である。
【図１１】蓋体が開放位置にある状態を示す拡大斜視図である。
【図１２】蓋体が開放位置にある状態を示す拡大平面図である。
【符号の説明】
【０１２２】
１…電子機器、４…筐体、１０…ベース体、１３…ガイド部、１３ａ…連続点、１４…第１のガイド溝、１４ａ…ロック用凹部、１５…第２のガイド溝、１９…蓋体、２０ａ…移動用操作部、２０ｂ…操作用突部、２２…第１の被ガイドピン、２３…第２の被ガイドピン、２４…弾性部材
【図１】
2010217508.tif 000003
【図２】
2010217508.tif 000004
【図３】
2010217508.tif 000005
【図４】
2010217508.tif 000006
【図５】
2010217508.tif 000007
【図６】
2010217508.tif 000008
【図７】
2010217508.tif 000009
【図８】
2010217508.tif 000010
【図９】
2010217508.tif 000011
【図１０】
2010217508.tif 000012
【図１１】
2010217508.tif 000013
【図１２】
2010217508.tif 000014